(57)【要約】【課題】更新版の印刷を行うことで不要となる更新元の印刷物の処分に伴うＣＯ２排出量を自動的に演算することができるＣＯ２排出量演算システムおよび画像形成装置を提供する。【解決手段】画像形成装置は、コピージョブや印刷ジョブの実行指示を受けると（Ｓ１０１）、そのジョブの印刷履歴や画像データを保存すると共に（Ｓ１０２）、画像データに基づいた印刷を実行する（Ｓ１０３）。また、そのジョブの画像データが当該画像形成装置で過去に印刷を実行したジョブの画像データの更新版であるか否かを判断し（Ｓ１０５）、更新版であると判断した場合は（Ｓ１０５；Ｙｅｓ）、その過去のジョブの印刷枚数などに基づいて更新元の印刷物の処分に伴うＣＯ２排出量を演算し（Ｓ１０６）、演算結果を表示する（Ｓ１０７）。【選択図】図１２
2010201654.tif 000002
【特許請求の範囲】
【請求項１】
画像データに基づいて印刷された印刷物の枚数情報と、前記画像データに関する情報であって、後に印刷される画像データが当該画像データの更新版であるか否かの判断時の比較に使用される更新判断情報とを対応付けて記憶する記憶部と、
印刷指示された画像データが過去に印刷された画像データの更新版であるか否かを、前記印刷指示された画像データに関する更新判断情報と前記記憶部に記憶されている更新判断情報とを比較して判断し、更新版と判断した場合に、その更新元の画像データに基づいて印刷された印刷物の処分に伴うＣＯ２排出量を、前記更新元の画像データに関する更新判断情報に対応付けて前記記憶部に記憶されている枚数情報に基づいて演算する制御部と、
を備えたＣＯ２排出量演算システム。
【請求項２】
前記更新判断情報は、前記画像データの属性情報と、前記画像データのうちの少なくとも一方を含む
ことを特徴とする請求項１に記載のＣＯ２排出量演算システム。
【請求項３】
前記制御部は、前記演算を、前記印刷物１枚当たりの前記処分に伴うＣＯ２排出量を示す処分係数と前記枚数情報とを乗算することで行う
ことを特徴とする請求項１または２に記載のＣＯ２排出量演算システム。
【請求項４】
前記処分は、前記印刷物を廃棄する廃棄処分と、前記印刷物を焼却する焼却処分とを含み、
前記制御部は、前記印刷物１枚当たりの前記廃棄処分に伴うＣＯ２排出量を示す廃棄処分係数と前記枚数情報とを乗算する第１の演算と、前記印刷物１枚当たりの前記焼却処分に伴うＣＯ２排出量を示す焼却処分係数と前記枚数情報とを乗算する第２の演算とのうちの少なくとも一方を行う
ことを特徴とする請求項３に記載のＣＯ２排出量演算システム。
【請求項５】
前記第１の演算と前記第２の演算とのうちのいずれの演算を行うかの選択を受け付ける選択部を備える
ことを特徴とする請求項４に記載のＣＯ２排出量演算システム。
【請求項６】
前記制御部は、前記印刷指示された画像データに基づいて前記印刷を行った画像形成装置の使用に伴う装置使用ＣＯ２排出量を演算し、所定期間に演算した前記装置使用ＣＯ２排出量と前記処分に伴うＣＯ２排出量とを累積した累積ＣＯ２排出量を演算する
ことを特徴とする請求項１乃至５のいずれか１つに記載のＣＯ２排出量演算システム。
【請求項７】
前記演算の結果が表示される表示部を備える
ことを特徴とする請求項１乃至６のいずれか１つに記載のＣＯ２排出量演算システム。
【請求項８】
請求項１乃至７のいずれか１つに記載のＣＯ２排出量演算システムと、
前記印刷指示された画像データに基づいて前記印刷を実行し前記印刷物を排出する画像形成部と、
を備えた画像形成装置。
【発明の詳細な説明】
【技術分野】
【０００１】
本発明は、ＣＯ２排出量演算システムおよび画像形成装置に係り、特に、画像データに基づいた印刷に関連して排出されるＣＯ２の排出量を演算するＣＯ２排出量演算システムおよび画像形成装置に関する。
【背景技術】
【０００２】
コピー機能やプリンタ機能などを備えた画像形成装置においては、ユーザによるＣＯ２削減（地球温暖化防止）の意識を高めるなどのために、装置の使用に伴うＣＯ２排出量を演算して表示するようにした技術が知られている。
【０００３】
たとえば、特許文献１には、画像形成装置を使用した特定期間の電力消費量によるＣＯ２排出量と、同特定期間の消耗品の消費量に基づくＣＯ２排出量とを各々算出して加算し、これを画像形成装置の特定期間のＣＯ２排出量として表示する技術が開示されている。
【先行技術文献】
【特許文献】
【０００４】
【特許文献１】特開２００８−１０９３４５号公報
【発明の概要】
【発明が解決しようとする課題】
【０００５】
画像形成装置による原稿のコピーやドキュメント（文書ファイル）のプリントなどでは、過去に印刷した元の原稿やドキュメントを更新して再び印刷するようなことがある。このような更新を伴う印刷は、たとえば、文章構成中などの草稿版を確認したり新たに修正を加えたりした場合、あるいは正式版を改訂したりする場合などに行われる。そして、通常は更新版の印刷物が保存され、更新元の印刷物は不要となり廃棄（紙資源再生）や焼却などによって処分されることが多い。この印刷物の処分においてもＣＯ２が排出されるため、ＣＯ２削減の意識向上などを図る上では、印刷物の処分に伴うＣＯ２排出量も把握できることが望ましい。
【０００６】
本発明は、上記の問題を解決しようとするものであり、更新版の印刷を行うことで不要となる更新元の印刷物の処分に伴うＣＯ２排出量を自動的に演算することができるＣＯ２排出量演算システムおよび画像形成装置を提供することを目的としている。
【課題を解決するための手段】
【０００７】
かかる目的を達成するための本発明の要旨とするところは、次の各項の発明に存する。
【０００８】
［１］画像データに基づいて印刷された印刷物の枚数情報と、前記画像データに関する情報であって、後に印刷される画像データが当該画像データの更新版であるか否かの判断時の比較に使用される更新判断情報とを対応付けて記憶する記憶部と、
印刷指示された画像データが過去に印刷された画像データの更新版であるか否かを、前記印刷指示された画像データに関する更新判断情報と前記記憶部に記憶されている更新判断情報とを比較して判断し、更新版と判断した場合に、その更新元の画像データに基づいて印刷された印刷物の処分に伴うＣＯ２排出量を、前記更新元の画像データに関する更新判断情報に対応付けて前記記憶部に記憶されている枚数情報に基づいて演算する制御部と、
を備えたＣＯ２排出量演算システム。
【０００９】
上記発明では、印刷指示されて印刷を行った画像データに関する更新判断情報と、その印刷による印刷物の枚数情報とを対応付けて記憶部に記憶し保存する。新たに印刷指示されて印刷を行う画像データについては、その画像データに関する更新判断情報と記憶部に記憶されている更新判断情報とを比較して、過去に印刷された画像データの更新版であるか否かを判断する。更新版と判断した場合は、その更新元の画像データに基づいて印刷された印刷物の処分に伴うＣＯ２排出量を、その更新元の画像データに関する更新判断情報に対応付けられている枚数情報に基づいて演算する。
【００１０】
このように、過去に印刷したことのある画像（画像データ）を更新して印刷を行うときには、通常と同じ操作で印刷指示を行うと、その画像データは過去に印刷した画像データの更新版であることが自動的に判断され、その過去に印刷した更新元の印刷物の処分に伴うＣＯ２排出量が自動的に演算される。これにより、更新版の印刷を行うことで不要となる更新元の印刷物の処分に伴うＣＯ２排出量を簡単に把握することができる。
【００１１】
［２］前記更新判断情報は、前記画像データの属性情報と、前記画像データのうちの少なくとも一方を含む
ことを特徴とする［１］に記載のＣＯ２排出量演算システム。
【００１２】
上記発明では、画像データが更新版であるか否かは、画像データのファイル名や更新履歴などの属性情報を比較する、あるいは、画像データ自体（たとえば、データの一部または全て）を比較することで判断することができる。
【００１３】
［３］前記制御部は、前記演算を、前記印刷物１枚当たりの前記処分に伴うＣＯ２排出量を示す処分係数と前記枚数情報とを乗算することで行う
ことを特徴とする［１］または［２］に記載のＣＯ２排出量演算システム。
【００１４】
上記発明では、印刷物の処分に伴うＣＯ２排出量は、印刷物１枚当たりの処分に伴うＣＯ２排出量を示す処分係数と、印刷物の枚数情報とを乗算することで演算することができる。
【００１５】
［４］前記処分は、前記印刷物を廃棄する廃棄処分と、前記印刷物を焼却する焼却処分とを含み、
前記制御部は、前記印刷物１枚当たりの前記廃棄処分に伴うＣＯ２排出量を示す廃棄処分係数と前記枚数情報とを乗算する第１の演算と、前記印刷物１枚当たりの前記焼却処分に伴うＣＯ２排出量を示す焼却処分係数と前記枚数情報とを乗算する第２の演算とのうちの少なくとも一方を行う
ことを特徴とする［３］に記載のＣＯ２排出量演算システム。
【００１６】
上記発明では、印刷物の廃棄処分（紙資源再生処分）に伴うＣＯ２排出量と、印刷物の焼却処分に伴うＣＯ２排出量とのうちの少なくとも一方を演算することができる。
【００１７】
［５］前記第１の演算と前記第２の演算とのうちのいずれの演算を行うかの選択を受け付ける選択部を備える
ことを特徴とする［４］に記載のＣＯ２排出量演算システム。
【００１８】
上記発明では、印刷物の処分に伴うＣＯ２排出量を、廃棄処分と焼却処分のいずれで演算するかを選択することができる。
【００１９】
［６］前記制御部は、前記印刷指示された画像データに基づいて前記印刷を行った画像形成装置の使用に伴う装置使用ＣＯ２排出量を演算し、所定期間に演算した前記装置使用ＣＯ２排出量と前記処分に伴うＣＯ２排出量とを累積した累積ＣＯ２排出量を演算する
ことを特徴とする［１］乃至［５］のいずれか１つに記載のＣＯ２排出量演算システム。
【００２０】
上記発明では、印刷を行った画像形成装置の使用に伴う装置使用ＣＯ２排出量と、その画像形成装置で更新版の印刷を行ったことにより不要となった更新元の印刷物の処分に伴うＣＯ２排出量を累積した累積ＣＯ２排出量を所定期間の単位で管理することができる。
【００２１】
［７］前記演算の結果が表示される表示部を備える
ことを特徴とする［１］乃至［６］のいずれか１つに記載のＣＯ２排出量演算システム。
【００２２】
上記発明では、表示部に表示された更新元の印刷物の処分に伴うＣＯ２排出量や所定期間の累積ＣＯ２排出量を確認し、それらの情報を把握できるようになる。
【００２３】
［８］［１］乃至［７］のいずれか１つに記載のＣＯ２排出量演算システムと、
前記印刷指示された画像データに基づいて前記印刷を実行し前記印刷物を排出する画像形成部と、
を備えた画像形成装置。
【００２４】
上記発明では、過去にコピーした原稿を更新して再びコピーしたり、過去にプリントしたドキュメントを更新して再びプリントしたりするなど、過去に印刷した画像（画像データ）の更新版を画像形成装置で再び印刷する際に、更新元の印刷物の処分に伴うＣＯ２排出量を把握することができる。また、この画像形成装置の使用による装置使用ＣＯ２排出量と上記の印刷物の処分に伴うＣＯ２排出量とを所定期間内で累積した累積ＣＯ２排出量を把握することができる。
【発明の効果】
【００２５】
本発明によれば、更新版の印刷を行うことで不要となる更新元の印刷物の処分に伴うＣＯ２排出量を自動的に演算することができる。ユーザが更新版を印刷する際には、通常と同じ印刷指示を行うなどの簡単な操作で、不要となった更新元の印刷物の処分に伴うＣＯ２排出量を容易に把握することができる。これにより、印刷物の処分に伴うＣＯ２排出量も考慮したＣＯ２削減の意識向上をユーザに促すなどが可能となる。
【図面の簡単な説明】
【００２６】
【図１】本発明の一実施形態に係るネットワークプリンタシステムのシステム構成を示す図である。
【図２】本発明の一実施形態に係るネットワークプリンタシステムに設けられた端末の概略構成を示すブロック図である。
【図３】本発明の一実施形態に係るネットワークプリンタシステムに設けられた画像形成装置としての複合機の概略構成を示すブロック図である。
【図４】本発明の一実施形態に係る制御部としてのＣＰＵや画像処理部などの要部の詳細な構成を示すブロック図である。
【図５】本発明の一実施形態に係る画像形成装置における印刷速度の違いによる電力消費量の一例を示す図である。
【図６】本発明の一実施形態に係る電力パラメータテーブルの構成を示す図である。
【図７】本発明の一実施形態に係る紙種係数テーブルの構成を示す図である。
【図８】本発明の一実施形態に係るトナー種係数テーブルの構成を示す図である。
【図９】本発明の一実施形態に係る紙処分係数テーブルの構成を示す図である。
【図１０】本発明の一実施形態に係る環境ＩＳＯ選択画面を示す図である。
【図１１】本発明の一実施形態に係る紙種選択画面を示す図である。
【図１２】本発明の一実施形態に係る画像形成装置による印刷動作とＣＯ２排出量の演算・表示動作を示す流れ図である。
【図１３】本発明の一実施形態に係るＣＯ２排出量モード選択画面を示す図である。
【図１４】本発明の一実施形態に係る印刷ＣＯ２排出量表示画面を示す図である。
【図１５】本発明の一実施形態に係る再印刷ＣＯ２排出量表示画面（廃棄処分）を示す図である。
【図１６】本発明の一実施形態に係る再印刷ＣＯ２排出量表示画面（焼却処分）を示す図である。
【図１７】本発明の一実施形態に係るＣＯ２排出量累積推移グラフ画面を示す図である。
【発明を実施するための形態】
【００２７】
以下、図面に基づき本発明の実施の形態を説明する。
【００２８】
図１は、本発明の一実施形態に係る画像形成装置２０と、画像形成装置２０にアクセスする任意台数の端末１０とをＬＡＮ（Local Area Network）などのネットワーク２に接続して構成されたネットワークプリンタシステム５のシステム構成例を示している。
【００２９】
画像形成装置２０は、原稿を光学的に読み取って画像データを取得し、その画像データを保存したり端末１０へ送信したりするスキャン機能、原稿を読み取り、かつその読み取りで得た画像データに基づいて原稿の複製画像を記録紙に印刷して出力するコピー機能、端末１０から受信した印刷データをラスタライズして得た画像を記録紙に印刷して出力するプリンタ機能、公衆回線網を通じて外部機器と画像（画像データ）をファクシミリで送受信するファクシミリ機能（ＦＡＸ機能）などを備えた複合機（Multi Function Peripheral/Multi Function Printer；ＭＦＰ）として構成されている。
【００３０】
画像形成装置２０がユーザから指示されて実行するジョブには、上記のコピー機能を用いて実行するコピージョブやプリンタ機能を用いて実行する印刷ジョブ（プリントジョブ）などがある。ユーザは、コピージョブの場合は画像形成装置２０を操作して実行を指示し、印刷ジョブの場合は端末１０を操作して画像形成装置２０に実行を指示する。
【００３１】
また画像形成装置２０は、装置の使用に伴うＣＯ２排出量や印刷物の処分に伴うＣＯ２排出量を演算するＣＯ２排出量演算システムとしての機能を備えている。この機能の詳細は、コピージョブや印刷ジョブを実行すると、その印刷動作に伴うＣＯ２排出量を演算して表示したり、コピー対象の原稿やプリント対象のドキュメント（文書ファイル）が過去に当該画像形成装置２０で印刷したものの更新版である場合には、その更新元の印刷物の処分に伴うＣＯ２排出量を演算して表示したりするものである。なお、本明細中では、更新を伴う印刷や更新版の印刷のことを「再印刷」と呼ぶ場合がある。
【００３２】
端末１０は、画像形成装置２０に対してネットワーク２を通じてアクセスし、ドキュメントのプリントなど各種作業の指示や操作の依頼などを行う装置であり、たとえば、パーソナルコンピュータ（Personal Computer；ＰＣ）に画像形成装置２０のドライバプログラム（印刷ドライバ）などを組み込んで構成される。
【００３３】
図２は、端末１０における制御系の構成をブロック図で示している。端末１０は、オペレーティングシステム（Operating System；ＯＳ）とそのＯＳ上で動作する各種のアプリケーションプログラムを搭載しており、ユーザＩＤ（Identification）およびパスワードの入力を受け付けてユーザを認証するユーザ認証機能（ログイン機能）、アプリケーションプログラムによってドキュメントなどを作成する機能、ドキュメントなどの印刷を行う際にドライバプログラムによって出力モードの設定を受け付け、その出力モードを設定した印刷ジョブを生成しネットワーク２を通じて画像形成装置２０に送信する機能などを備えている。
【００３４】
端末１０は、制御部としてのＣＰＵ（Central Processing Unit）１１に、バス１２を介してＲＯＭ（Read Only Memory）１３と、ＲＡＭ（Random Access Memory）１４と、ハードディスク装置（Hard Disk Drive；ＨＤＤ）１５と、表示部１６と、操作部１７と、ネットワーク通信部１８とを接続して構成される。
【００３５】
ＣＰＵ１１は、ＲＯＭ１３に格納されているプログラムに基づいて端末１０の動作を制御する。ＲＡＭ１４はＣＰＵ１１がプログラムを実行する際に各種データを一時的に格納するワークメモリなどとして使用される。ハードディスク装置１５は、ＯＳやアプリケーションプログラムのほか、画像形成装置２０のドライバプログラム６０、ユーザの認証情報となるユーザＩＤおよびパスワード、ドキュメントや各種の保存データなどを格納する。
【００３６】
表示部１６は液晶ディスプレイ（Liquid Crystal Display；ＬＣＤ）などの表示装置で構成されており、ＯＳ、アプリケーションプログラム、ドライバプログラム６０、ユーザ認証（ログイン）の操作や設定などを行うための画面、および画像や映像などを表示する。操作部１７はキーボードやマウスなどの入力装置で構成されており、ユーザが端末１０に対して行う操作や入力を受け付ける。ネットワーク通信部１８は、ネットワーク２を通じて画像形成装置２０と通信する機能を果たす。
【００３７】
ユーザが端末１０から画像形成装置２０へ印刷を指示する場合は、端末１０にログインし、表示部１６および操作部１７を通して所望のドキュメントなどの印刷指示操作を行う。この印刷指示操作では、必要に応じて出力モードの設定を行う。
【００３８】
ユーザにより出力モードの設定を含む印刷指示操作が行われると、端末１０のドライバプログラム６０は、対象となるドキュメントなどの印刷データを含む印刷ジョブを生成する。印刷ジョブのヘッダには、端末１０に関する情報（端末情報）と、ユーザＩＤと、上記ドキュメントなどの属性情報と、設定された出力モードを示す出力モード情報などを付加する。ドライバプログラム６０は、この印刷ジョブを画像形成装置２０に送信して印刷を指示する。
【００３９】
印刷ジョブに付加される端末情報は、たとえば、端末１０のＩＤ（Identification）やネットワーク２上におけるＩＰ（Internet Protocol）アドレスなどの情報である。属性情報は、印刷を指示するドキュメントの名称（ファイル名）を示すファイル名情報、作成日時を示す作成日時情報、更新日時を示す更新日時情報、ページ数を示すページ数情報、印刷データのサイズを示すデータサイズ情報などである。
【００４０】
属性情報における作成日時と更新日時は、一般には、ドキュメントを作成した時点では同一、もしくは、数秒程度の誤差を生じた略同一の日時を示す。ドキュメントの内容を変更して上書き保存などを行うと、更新日時のみがその保存時点での日時に変更（更新）される。ドキュメントの複製保存などを行うと、作成日時のみがその保存時点での日時に変更（更新）される。
【００４１】
したがって、作成日時と更新日時が同一、または数秒程度の誤差を生じている略同一の場合には、そのドキュメントは更新されていないと判断できる。更新日時が作成日時よりも新しい場合には、そのドキュメントは更新されていると判断できる。作成日時が更新日時よりも新しい場合には、そのドキュメントは複製されたものであるとの判断も可能である。この作成日時（作成日時情報）と更新日時（更新日時情報）とは、ドキュメントの更新履歴（および複製履歴）を示す更新履歴情報としての機能を果たす。
【００４２】
また、ドキュメントの内容は変更せずにファイル名を変更した場合は、作成日時と更新日時は共に変更されずに元の日時を示す。そのため、ファイル名に差異があっても、作成日時と更新日時に基づいて元のドキュメント（旧名称のドキュメント）を識別することも可能である。
【００４３】
出力モード情報は、印刷を行う記録紙のサイズ（Ａ４／Ａ３など）、印刷方向（縦方向／横方向）、片面印刷／両面印刷、複数ページを１ページに集約して印刷する集約印刷（Ｎｉｎ１（１ｉｎ１／２ｉｎ１／４ｉｎ１など））、モノクロ／カラー、解像度、印刷ページ指定、印刷部数などの出力モードを示す情報である。
【００４４】
印刷ジョブによる印刷枚数は、ドキュメントのページ数と、片面印刷／両面印刷、集約印刷、印刷ページ指定、および印刷部数などの条件（出力モード）によって変化する。たとえば、片面／１ｉｎ１／全ページ指定／部数１を設定した場合には、印刷枚数はドキュメントのページ数と同一になる。この設定に対し、片面を両面に変更する、または、１ｉｎ１を２ｉｎ１に変更すると、印刷枚数は、ドキュメントが偶数ページの場合にはページ数の半分となり（ページ数÷２）、奇数ページの場合にはページ数に１ページを加算した値の半分となる（（ページ数＋１）÷２）。
【００４５】
図３は、画像形成装置２０における制御系の構成をブロック図で示している。画像形成装置２０は、制御部としてのＣＰＵ２１に、バス２２を介してＲＯＭ２３と、ＲＡＭ２４と、不揮発メモリ２５と、ハードディスク装置（ＨＤＤ）２６と、操作表示部２７と、ユーザ認証部２８と、スキャナ部２９と、画像処理部３０と、画像形成部としてのプリンタ部３１と、ファクシミリ通信部３２と、ネットワーク通信部３３と、消費電力測定部３４とを接続して構成される。
【００４６】
ＣＰＵ２１は、ＲＯＭ２３に格納されているプログラムに基づいて画像形成装置２０の動作を制御する。さらに、ＣＯ２排出量の演算や印刷を行う画像の更新判断なども行う。ＲＡＭ２４はＣＰＵ２１がプログラムを実行する際に各種データを一時的に格納するワークメモリとして使用されるほか、画像データを一時的に保存するための画像メモリなどにも使用される。
【００４７】
不揮発メモリ２５は、電源がオフされても記憶が保持されるメモリであり、装置固有の情報や各種の設定情報などが記憶される。さらに不揮発メモリ２５には、ユーザデータベース６１と、電力パラメータテーブル６２と、紙種係数テーブル６３と、トナー種係数テーブル６４と、紙処分係数テーブル６５と、ＣＯ２排出量管理テーブル６６とが記憶されている。
【００４８】
ユーザデータベース６１には、画像形成装置２０の使用を許可されたユーザの情報が記憶されている。たとえば、ユーザ毎に、ユーザＩＤと、認証情報と、設定情報と、ユーザの使用する端末１０（ユーザ端末）のＩＰアドレスなどが対応付けられて記憶されている。ＣＯ２排出量管理テーブル６６には、ＣＯ２排出量の演算結果を示すデータなどがユーザ毎に記憶管理される。それ以外のテーブルには、ＣＯ２排出量の演算に用いる各種のデータが記憶されている。
【００４９】
ハードディスク装置２６は、各種の保存データや、ユーザの印刷履歴を記憶管理するための印刷履歴テーブル６７などを格納するほか、原稿のスキャンやコピーにおいて原稿を読み取って取得された画像データ、端末１０から依頼された印刷ジョブに含まれている印刷データ（画像データ）なども保存する。
【００５０】
印刷履歴テーブル６７は、画像形成装置２０がユーザから指示されて実行したコピージョブやユーザの端末１０から受信して実行した印刷ジョブの履歴に関する情報をユーザ毎に記憶管理するテーブルである。
【００５１】
コピージョブの場合は、ジョブを指示したユーザ（認証ユーザ）のユーザＩＤ、ジョブの実行指示を受け付けてＣＰＵ２１が発行したジョブＩＤ、受付日時、状態（実行待ち／実行済／エラー終了など）、実行日時、ユーザの設定した出力モード（出力モード情報）、印刷枚数（枚数情報）などが対応付けられて印刷履歴テーブル６７に記憶される。コピージョブの出力モードは、たとえば、印刷を行う記録紙のサイズ（Ａ４／Ａ３など）、片面読み取り片面印刷／片面読み取り両面印刷／両面読み取り片面印刷／両面読み取り両面印刷、集約印刷（Ｎｉｎ１）、モノクロ／カラー、解像度、印刷部数などである。コピージョブによる印刷枚数は、原稿の枚数と、印刷ジョブと同様に出力モードによって変化する。原稿の画像データは、このコピージョブの履歴情報に対応付けられてハードディスク装置２６に保存される。
【００５２】
印刷ジョブの場合は、ジョブに付加されている端末情報、ユーザＩＤ、ドキュメントなどの属性情報、出力モード（出力モード情報）、ジョブの受信時にＣＰＵ２１が発行したジョブＩＤ、受信日時、状態（実行待ち／実行済／エラー終了など）、実行日時、印刷枚数（枚数情報）などが対応付けられて印刷履歴テーブル６７に記憶される。印刷ジョブに含まれている印刷データ（画像データ）は、この印刷ジョブの履歴情報に対応付けられてハードディスク装置２６に保存される。
【００５３】
なお、このハードディスク装置２６によるユーザの印刷履歴や画像データの記憶管理は、大容量のデータ記憶装置を備えたサーバなどで行うようにしてもよい。たとえば、図１に示すように、ネットワーク２に接続されたサーバ７０が行うなどしてもよい。
【００５４】
操作表示部２７は、操作画面、設定画面、選択画面、入力画面、ＣＯ２排出量表示画面などの各種の画面を表示する表示部としての機能と、画像形成装置２０の機能に係る操作、設定、選択、情報の入力などの各種の手動操作を受け付ける操作部としての機能とを果たす。ここでは、表示機能を担う液晶ディスプレイと、該液晶ディスプレイの表面に形成され、押下された座標位置を検出するタッチパネルや、スタートボタン、ストップボタン、テンキー、各種操作スイッチなどで構成される。
【００５５】
ユーザ認証部２８は、ユーザ認証を行うための認証用データ（認証情報）を取得する機能を果たす。ユーザ認証としては、たとえば、ユーザの所持するＩＤ（Identification）カードなどに記憶されている認証用データを接触式または非接触式のカードリーダなどで読み取って、予め登録されている認証情報と照合し個人認証を行うカード認証技術、ユーザの指紋や指静脈などの生体情報を認証用データとして生体認証ユニットなどで読み取って、予め登録されている認証情報と照合し個人認証を行う生体認証技術、ユーザが認証用データとしてのパスワードを操作表示部２７から入力して、予め登録されている認証情報と照合し個人認証を行うパスワード認証技術などの汎用の各種の認証技術を単独もしくは組み合わせて用いることができる。
【００５６】
スキャナ部２９は、原稿を光学的に読み取って画像データを取得する機能を果たす。たとえば、原稿を照射する光源と、原稿をその幅方向に１ライン分読み取るラインイメージセンサと、ライン単位の読取位置を原稿の長さ方向に移動させる移動機構と、原稿からの反射光をラインイメージセンサに導いて結像させるレンズやミラーからなる光学経路などを備えている。ラインイメージセンサはＣＣＤ（Charge Coupled Device）で構成される。ラインイメージセンサが出力するアナログ画像信号はＡ／Ｄ（Analog to Digital）変換され、デジタルの画像データとして出力される。
【００５７】
画像処理部３０は、端末１０から受信した印刷データ（ベクタ形式の印刷データ）に対してラスタライズ処理を施す機能や、画像データに対して、画像補正、回転、拡大／縮小、圧縮／伸張など各種の画像処理を施す機能を果たす。さらに、ＣＯ２排出量の演算などに用いられる画像データのドット数（画素数）を算出する機能や、画像（画像データ）の類似性を判別する機能も果たす。
【００５８】
プリンタ部３１は、入力された画像データに対応する画像を電子写真プロセスにより記録紙に形成して出力する機能を果たす。たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００５９】
ファクシミリ通信部３２は、ファクシミリ機能を備えた外部機器と公衆回線網を通じて通信する機能を果たす。ネットワーク通信部３３は、ネットワーク２を通じて端末１０やサーバ７０などと通信する機能を果たす。消費電力測定部３４は、画像形成装置２０の図示しない電源に接続されており、印刷動作時などの電力消費量を測定する機能を果たす。
【００６０】
図４は、画像形成装置２０のＣＰＵ２１や画像処理部３０など、ＣＯ２排出量の演算に係る要部の詳細な構成を示すブロック図である。
【００６１】
本実施形態では、画像データに基づいて印刷された印刷物の印刷枚数を示す枚数情報と、画像データに関する情報であって、後に印刷される画像データが当該画像データの更新版であるか否かの判断時の比較に使用される更新判断情報とを対応付けてハードディスク装置２６に記憶し保存する。そして、印刷指示された画像データが過去に印刷された画像データの更新版であるか否かを、その印刷指示された画像データに関する更新判断情報とハードディスク装置２６に記憶されている更新判断情報とを比較して判断し、更新版と判断した場合に、その更新元の画像データに基づいて印刷された印刷物の処分に伴うＣＯ２排出量を、更新元の画像データに関する更新判断情報に対応付けてハードディスク装置２６に記憶されている枚数情報に基づいて演算するようにしている。
【００６２】
更新判断情報は、画像データの属性情報（ドキュメントのファイル名や更新履歴、画像データのドット数など）や画像データ自体（先頭ページのデータ内容など）などである。印刷指示された画像データが更新版であるか否かの判断（以下では、「更新判断」と略称する場合がある）は、ＣＰＵ２１が単独で行う、または、ＣＰＵ２１と画像処理部３０が分担して行う。分担する場合は、画像処理部３０が画像データのドット数やデータ内容を比較して画像データの類似判別を行い、その結果に基づいてＣＰＵ２１が最終的に更新判断を行う。また、ＣＯ２排出量の演算はＣＰＵ２１が行うようになっている。
【００６３】
〔装置使用に伴うＣＯ２排出量の演算方法〕
印刷動作時の装置使用に伴うＣＯ２排出量については、印刷で消費された電力、記録紙、トナーといった３つの要素から印刷１枚当たりのＣＯ２排出量を演算するようにしている。以下に演算式を示す。
【００６４】
Ａ＝α×Ｐ＋β×Ｓ＋γ×Ｔ  ・・・（１）式
Ａ：印刷１枚当たりのＣＯ２排出量[g‐CO2/枚]
α：装置の電源電力を所定単位量（たとえば１kWh）製造するために排出されるＣＯ２排出量[g‐CO2/kWh]⇒「電力係数」
Ｐ：印刷１枚当たりの電力消費量[Wh/枚]
β：印刷で使用した種類の所定サイズ（たとえばＡ４サイズ）の記録紙を１枚製造するために排出されるＣＯ２排出量[g‐CO2/枚]⇒「紙種係数」
Ｓ：印刷で使用した記録紙のサイズを換算するための係数⇒「紙サイズ係数」
※たとえば、上記の所定サイズと印刷で使用した記録紙のサイズが共にＡ４などで同一の場合はＳ＝１とし（Ａ４基準）、同一でない場合はサイズ比（面積比）などに応じた係数を用いる。たとえば、所定サイズがＡ４で紙サイズがＡ３の場合はＳ＝２、所定サイズがＡ４で紙サイズがＡ５の場合はＳ＝０．５などにしてもよい。
γ：印刷で使用した種類のトナーを所定単位量（たとえば１kg）製造するために排出されるＣＯ２排出量[kg‐CO2/kg]⇒「トナー種係数」
Ｔ：印刷１枚当たりのトナー消費量[kg/枚]
【００６５】
図４に示すように、ＣＰＵ２１は上記の演算を行う装置使用ＣＯ２排出量演算部４０を備えている。
【００６６】
装置使用ＣＯ２排出量演算部４０は、印刷１枚当たりの電力消費量によって排出されるＣＯ２排出量（電力消費ＣＯ２排出量：α×Ｐ）を算出する電力消費ＣＯ２算出部４１と、印刷１枚当たりの記録紙消費量（消費サイズ）によって排出されるＣＯ２排出量（紙消費ＣＯ２排出量：β×Ｓ）を算出する紙消費ＣＯ２算出部４２と、印刷１枚当たりのトナー消費量によって排出されるＣＯ２排出量（トナー消費ＣＯ２排出量：γ×Ｔ）を算出するトナー消費ＣＯ２算出部４３と、これらの３つのＣＯ２排出量を積算して印刷１枚当たりのＣＯ２排出量（Ａ）を算出するＣＯ２排出量積算部４４とを備えている。印刷１枚当たりのトナー消費量（Ｔ）については、画像データのドット数（印刷１枚当たりのドット数）から算出するようにしている。
【００６７】
印刷１枚当たりの電力消費量（Ｐ）は、消費電力測定部３４が測定する。この測定値は、紙サイズや印刷速度によって異なる。図５は、Ａ４機での印刷速度の違いによる電力消費量の一例を示している。たとえば、印刷速度が２０枚/分（Copy Per Minute；ＣＰＭ）の場合は電力消費量が０．０１４２Wh/枚となり、印刷速度が５０枚/分の場合は電力消費量が０．０４７Wh/枚などとなる。
【００６８】
図６は、電力係数（α）が格納されている電力パラメータテーブル６２の一例を示している。電力供給源（発電）の種類は、石油火力、太陽光、原子力などである。電力係数は、たとえば、画像形成装置２０がネットワーク２上の管理サーバやデータベースなどにアクセスして随時最新の情報に更新される（図４参照）。
【００６９】
図７は、Ａ４サイズで換算した紙種係数（β）が格納されている紙種係数テーブル６３の一例を示している。記録紙の種類は、上質コート紙、再生上質紙などである。Ａ４以外のサイズを使用する場合には、（１）式で補足説明したように、Ａ４に対するサイズ比の紙サイズ係数（Ｓ）を用いて換算する。たとえば、Ａ３は本テーブルの紙種係数×２、Ａ５は本テーブルの紙種係数×０．５などの換算を行う。また、サイズ毎に紙種係数テーブルを用意して使い分ける、あるいは、各サイズの紙種係数を一覧形式で格納した１つの紙種係数テーブルを用いるなどしてもよい。
【００７０】
図８は、トナー種係数（γ）が格納されているトナー種係数テーブル６４の一例を示している。トナーの種類は、粉砕トナー、重合トナーなどである。
【００７１】
単色のトナーのみを使用するモノクロ機などの場合は、トナー種係数はトナー種毎に１つとなる。イエロー色（Ｙ）、マゼンタ色（Ｍ）、シアン色（Ｃ）、ブラック色（Ｋ）などの４色のトナーを使用するカラー機などにおいても、各色のトナー種係数が同一であれば、トナー種係数はトナー種毎に１つでよいことになる。各色のトナー種係数が異なる場合は、トナー種係数はトナー種毎に複数となり、トナー種係数テーブル６４にはトナー種毎に複数のトナー種係数が格納される。たとえば、上記４色のトナーのトナー種係数が全て異なる場合は、トナー種係数テーブル６４にはトナー種毎に４つのトナー種係数（γｙ、γｍ、γｃ、γｋなど）が格納される。この場合は、以下の演算式を用いて演算を行うようにしてもよい。
【００７２】
Ａ＝α×Ｐ＋β×Ｓ＋（γｙ×Ｔｙ＋γｍ×Ｔｍ＋γｃ×Ｔｃ＋γｋ×Ｔｋ）  ・・・（１´）式
γｙ：Ｙトナーのトナー種係数    Ｔｙ：Ｙトナーのトナー消費量
γｍ：Ｍトナーのトナー種係数    Ｔｍ：Ｍトナーのトナー消費量
γｃ：Ｃトナーのトナー種係数    Ｔｃ：Ｃトナーのトナー消費量
γｋ：Ｋトナーのトナー種係数    Ｔｋ：Ｋトナーのトナー消費量
【００７３】
〔印刷物の処分に伴うＣＯ２排出量の演算方法〕
更新版の印刷（再印刷）で不要となる更新元の印刷物の処分に伴うＣＯ２排出量については、印刷物（記録紙）を１枚処分するのに伴い排出されるＣＯ２排出量を示す紙処分係数と、印刷物の枚数（印刷枚数＝処分枚数）とを乗算して算出するようにしている。
【００７４】
印刷物の処分は、廃棄処分（紙資源再生処分）と焼却処分の２種類がある。たとえば、画像形成装置２０を設置した企業などが環境ＩＳＯ（International Organization for Standardization（国際標準化機構））を取得している場合には印刷物が廃棄されて紙資源に再生され、環境ＩＳＯを取得していない場合には印刷物が焼却されるなどして処分される。紙処分係数については、この２種類の処分方法に対応する２つの係数（廃棄処分係数／焼却処分係数）を用意し、いずれかを選択するようにしている。以下に、廃棄処分と焼却処分の２つの演算式を示す。
【００７５】
Ｂ＝δ×Ｎ  ・・・（２）式
Ｂ：印刷物の廃棄処分に伴うＣＯ２排出量[g‐CO2]
δ：印刷物１枚当たりの廃棄処分に伴うＣＯ２排出量[g‐CO2／枚]⇒「廃棄処分係数」
Ｎ：印刷物の枚数[枚]
【００７６】
Ｃ＝ε×Ｎ  ・・・（３）式
Ｃ：印刷物の焼却処分に伴うＣＯ２排出量[g‐CO2]
ε：印刷物１枚当たりの焼却処分に伴うＣＯ２排出量[g‐CO2／枚]⇒「焼却処分係数」
Ｎ：印刷物の枚数[枚]
【００７７】
図４に示すように、ＣＰＵ２１はこの演算などを行う紙処分ＣＯ２排出量演算部４５を備えている。紙処分ＣＯ２排出量演算部４５は、画像データが更新版であるか否かの判断を行う画像更新判断部４６と、印刷物（記録紙）の処分種の識別を行う紙処分種識別部４７と、印刷物の処分に伴うＣＯ２排出量（Ｂ、Ｃ）を算出するＣＯ２排出量算出部４８とを備えている。
【００７８】
図９は、紙処分係数（δ、ε）が格納されている紙処分係数テーブル６５の一例を示している。紙処分の種類は、上記の廃棄処分と焼却処分である。本実施形態では、印刷物の処分に伴うＣＯ２排出量の演算で、紙処分種毎に１つの紙処分係数を用いるようにしている。この紙処分係数は、処分する記録紙のサイズに応じて複数用意し使い分けるようにしたり、基準となる紙サイズの紙処分係数に対してサイズ比などで換算して用いたりするようにしてもよい。換算する場合は、たとえば、本テーブルの紙処分係数がＡ４サイズで換算されたものである場合には（Ａ４基準）、Ａ３は本テーブルの紙処分係数×２、Ａ５は本テーブルの紙処分係数×０．５などの換算を行うようにしてもよい。
【００７９】
また、ＣＰＵ２１は、印刷動作時の装置使用に伴うＣＯ２排出量と、印刷物の処分に伴うＣＯ２排出量とを積算して合計のＣＯ２排出量を算出したり、ＣＯ２排出量の月毎の累積値などを個人や全体（管理対象全ユーザ）の単位で算出したりする合計ＣＯ２排出量積算部４９を備えている。
【００８０】
画像更新判断部４６による画像データの更新判断は、上述した画像データの属性情報（ファイル名、更新履歴、ドット数など）やデータ内容の他に、印刷を指示したユーザの情報（ユーザＩＤ）、画像データの印刷履歴の有無を示すユーザによる入力情報などに基づいて行う。画像データのドット数やデータ内容に基づく判断では、ハードディスク装置２６に保存されている過去に印刷した画像データの中に、今回印刷指示された画像データと類似するものが存在しているか否かといった類似判別をそのドット数やデータ内容（先頭ページのデータ内容）に基づいて画像処理部３０が行い、この結果に基づいて画像更新判断部４６が画像データの更新判断を行う。
【００８１】
画像処理部３０は、この画像の類似判別やトナー消費量の計算に用いる画像データのドット数を算出するドット数算出部５０と、画像の類似判別を行う画像判別部５１とを備えている。
【００８２】
次に、画像形成装置２０の動作について説明する。
【００８３】
図１０は、画像形成装置２０の操作表示部２７に表示される環境ＩＳＯ選択画面１５０を示している。本画面には、取得済みの選択操作を受け付ける取得済みボタン１５１と、未取得の選択操作を受け付ける未取得ボタン１５２と、選択の確定操作を受け付けるＯＫボタン１５３とが表示される。
【００８４】
ユーザや管理者などは、本画面を通して、自社などの環境ＩＳＯの取得状況に応じた取得済みまたは未取得の選択を行う。取得済みを選択した場合は、印刷物の処分の種類が廃棄処分に設定される。未取得を選択した場合は、印刷物の処分の種類が焼却処分に設定される。選択・設定された印刷物の処分の種類を示す紙処分種情報は、不揮発メモリ２５に記憶される。
【００８５】
図１１は、画像形成装置２０の操作表示部２７や端末１０の表示部１６に表示される紙種選択画面１６０を示している。本画面は、画像形成装置２０でコピージョブの出力モードを設定する際に操作表示部２７に表示され、端末１０で印刷ジョブの出力モードを設定する際に表示部１６に表示される。
【００８６】
本画面には、印刷に使用する記録紙の種類の選択操作を受け付ける複数の選択ボタン（記録紙が４種類の場合は、４つの選択ボタン１６１、１６２、１６３、１６４など）と、選択の確定操作を受け付けるＯＫボタン１６５とが表示される。ユーザは、本画面を通して、印刷に使用する記録紙の種類の選択を行う。選択された記録紙の種類を示す紙種情報は、出力モードに付加される。
【００８７】
印刷に使用する記録紙の種類は、一度選択した種類またはデフォルトの種類などが固定的に設定され、設定を変更する場合のみに本画面（紙種選択画面１６０）の表示操作を行って選択・設定するようにしてもよい。固定的な設定による場合の紙種情報は、端末１０のハードディスク装置１５や画像形成装置２０の不揮発メモリ２５などに保存される。
【００８８】
図１２は、画像形成装置２０による印刷動作とＣＯ２排出量の演算・表示動作の流れを示している。動作の流れは、図１２と図４などを用いて説明する。
【００８９】
画像形成装置２０で原稿のコピーを行う場合には、ユーザは、認証操作、画像形成装置２０への原稿のセット、コピーモードの選択や出力モードの設定などを行い、スタートボタンを押下する（コピージョブの実行指示）。画像形成装置２０は、この操作を受けるとスキャナ部２９で原稿を読み取り画像データを取得する。
【００９０】
画像形成装置２０でドキュメントのプリントを行う場合には、ユーザは、端末１０でログイン操作、ドキュメントの指定や出力モードの設定などを行い、ＯＫボタンなどを押下する（印刷指示操作）。端末１０は、この操作を受けると（図４参照）、ユーザＩＤ、ドキュメントの属性情報（ファイル名、更新履歴など）、出力モード、ドキュメントの印刷データなどを含む印刷ジョブを画像形成装置２０へ送信する。
【００９１】
画像形成装置２０では（Ｓｔａｒｔ）、コピージョブの実行指示を受け付ける、または、端末１０から印刷ジョブを受信すると（ステップＳ１０１）、ＣＰＵ２１は、そのジョブデータ（履歴情報および画像データ）をハードディスク装置２６に保存する（ステップＳ１０２）。
【００９２】
コピージョブの場合は、ＣＰＵ２１は、ジョブを指示したユーザ（認証ユーザ）のユーザＩＤと、ジョブＩＤ、出力モード、印刷枚数、画像処理部３０のドット数算出部５０が算出した原稿の画像データのドット数などを対応付けて印刷履歴テーブル６７に記憶し、このコピージョブの履歴情報に対応付けて原稿の画像データをハードディスク装置２６に保存する。
【００９３】
印刷ジョブの場合は（図４参照）、ＣＰＵ２１は、ジョブに含まれているユーザＩＤ、ドキュメントのファイル名、更新履歴、出力モードなどと、ジョブＩＤ、印刷枚数、画像処理部３０がドキュメントの印刷データをラスタライズした画像データに対してドット数算出部５０が算出したドット数などを対応付けて印刷履歴テーブル６７に記憶し、この印刷ジョブの履歴情報に対応付けてドキュメントの画像データをハードディスク装置２６に保存する。
【００９４】
印刷枚数については、画像形成装置２０内の印刷枚数カウンタによるカウント値を用いる、もしくは、原稿やドキュメントのページ数と出力モードから算出した算出値などを用いてもよい。
【００９５】
続いて、ＣＰＵ２１はジョブの出力モードに基づいて画像データの印刷を実行する（ステップＳ１０３）。詳細には、プリンタ部３１を制御し、画像データに対応する画像を出力モードに基づいて記録紙に形成する動作を印刷枚数分繰り返し、その印刷枚数分の記録紙（印刷物）を排紙トレイに排出する。
【００９６】
ＣＰＵ２１の装置使用ＣＯ２排出量演算部４０は、このジョブの印刷動作における印刷１枚当たりの装置使用に伴うＣＯ２排出量を演算する（ステップＳ１０４）。印刷１枚当たりの演算方法は、先頭ページに対する演算値を用いる、あるいは、全ページに対する演算値の合計を印刷枚数で除算した平均値を用いるなどの方法で行う。演算動作の詳細は、処理を簡素化できる前者を例に、図４などを用いて説明する。演算式は、前述した（１）式（または（１´）式）となる。
【００９７】
〔装置使用に伴うＣＯ２排出量演算〕
消費電力測定部３４は、印刷１枚当たりの電力消費量（Ｐ）を測定し、電力消費ＣＯ２算出部４１に入力する。この電力消費量は、コピージョブの場合には、原稿１ページ目の読み取り開始（スキャン開始信号の入力など）から記録紙１枚目の印刷出力完了（プリント終了信号の入力など）までの動作期間に使用された電力量などとする。印刷ジョブの場合には、記録紙１枚目の給紙開始（プリント開始信号の入力など）から印刷出力完了（プリント終了信号の入力など）までの動作期間に使用された電力量などとする。
【００９８】
電力消費ＣＯ２算出部４１は、電力パラメータテーブル６２から電力係数（α）を取得し（図６参照）、電力係数と電力消費量とを乗算（α×Ｐ）して算出した印刷１枚当たりの電力消費ＣＯ２排出量をＣＯ２排出量積算部４４に入力する。
【００９９】
紙消費ＣＯ２算出部４２は、紙種選択画面１６０（図１１参照）による選択操作で出力モードに付加された紙種情報、または、保存されている紙種情報によって示される種類の記録紙に対応する紙種係数（β）を紙種係数テーブル６３（図７参照）から取得し、出力モードに付加された紙サイズ情報によって示される紙サイズに対応する紙サイズ係数（Ｓ）を乗算（β×Ｓ）して算出した印刷１枚当たりの紙消費ＣＯ２排出量をＣＯ２排出量積算部４４に入力する。
【０１００】
画像処理部３０のドット数算出部５０は、画像データの印刷１枚当たりのドット数となる先頭ページのドット数を算出し、トナー消費ＣＯ２算出部４３に入力する。トナー消費ＣＯ２算出部４３は、このドット数から印刷１枚当たりのトナー消費量（Ｔ）を算出する。また、トナーカートリッジに付加されているトナー種識別情報などから自動識別した、または、ユーザ設定／管理者設定などから識別した種類のトナーに対応するトナー種係数（γ）をトナー種係数テーブル６４（図８参照）から取得し、トナー種係数とトナー消費量とを乗算（γ×Ｔ）して算出した印刷１枚当たりのトナー消費ＣＯ２排出量をＣＯ２排出量積算部４４に入力する。
【０１０１】
ＣＯ２排出量積算部４４は、入力された３つのＣＯ２排出量を積算して（α×Ｐ＋β×１＋γ×Ｔ）、ジョブの印刷動作における印刷１枚当たりの装置使用に伴うＣＯ２排出量（Ａ）を算出し、この装置使用ＣＯ２排出量と、電力消費、紙消費、トナー消費の個々のＣＯ２排出量とを、合計ＣＯ２排出量積算部４９と操作表示部２７とに入力する。合計ＣＯ２排出量積算部４９は、ユーザＩＤと、ジョブＩＤと、入力された４つのＣＯ２排出量とを対応付けてＣＯ２排出量管理テーブル６６に記憶する。
【０１０２】
また、ＣＰＵ２１の紙処分ＣＯ２排出量演算部４５（画像更新判断部４６）は、印刷を実行した画像データが更新されているか否か、詳細には、今回印刷を実行した画像データが過去に印刷を実行した画像データの更新版であるか否かを判断する（図１２のステップＳ１０５）。更新されていないと判断した場合は（ステップＳ１０５；Ｎｏ）、ＣＰＵ２１は操作表示部２７を制御し、上記の４つのＣＯ２排出量などを表示して（ステップＳ１０８／図１４参照）、本動作を終了する（Ｅｎｄ）。
【０１０３】
更新されていると判断した場合は（ステップＳ１０５；Ｙｅｓ）、ＣＰＵ２１は更新元の印刷物（記録紙）の処分に伴うＣＯ２排出量を演算する（ステップＳ１０６）。この更新判断および演算動作の詳細についても、図４などを用いて説明する。更新判断は、コピージョブについては１つの判断方法を例示し、印刷ジョブについては４つの判断方法を例示する。演算式は、前述した（２）式や（３）式となる。
【０１０４】
〔コピージョブの更新判断〕
コピージョブの場合は、ジョブを指示したユーザの過去のコピージョブの画像データの中に、今回のジョブの画像データと先頭ページの内容が一致するものがある場合には、今回のジョブの画像データはその更新版であると判断し、一致するものがない場合には、今回のジョブの画像データは更新版ではなく新規版などであると判断する。
【０１０５】
詳細には、画像更新判断部４６は、コピージョブを指示したユーザ（認証ユーザ）のユーザＩＤと画像判別要求信号とを画像処理部３０の画像判別部５１に送信する。画像判別部５１は、これを受けて画像判別を開始し、受信したユーザＩＤに対応するハードディスク装置２６内の画像データの中に、今回のジョブの画像データと先頭ページの内容が一致するものがあるかを検索する。一致するものが見つかった場合には、画像判別部５１はその画像データに対応付けて印刷履歴テーブル６７内に記憶されているジョブＩＤと画像類似信号とを画像更新判断部４６に送信する。一致するものが見つからなかった場合には、画像判別部５１は画像非類似信号を画像更新判断部４６に送信する。
【０１０６】
画像判別部５１は、画像非類似信号を受信した場合には、今回のジョブの画像データは更新版ではないと判断する。画像類似信号を受信した場合には、今回のジョブの画像データは受信したジョブＩＤに対応する画像データの更新版であると判断し、画像更新信号を紙処分種識別部４７に入力する。さらに、受信したジョブＩＤに対応付けて印刷履歴テーブル６７内に記憶されている印刷枚数を取得し、ＣＯ２排出量算出部４８に入力する。
【０１０７】
〔印刷ジョブの更新判断１〕
印刷ジョブにおける１例目の更新判断では、画像更新判断部４６は、ジョブを指示したユーザのユーザＩＤ（印刷ジョブに付加されているユーザＩＤ）に対応する印刷履歴テーブル６７内のファイル名の中に、今回のジョブに含まれているドキュメントのファイル名と一致するものがあるかを検索する。完全に一致するもの、または、一部のみ一致するもの（たとえば、「○○○20080522.xls」ＶＳ「○○○20080524.xls」などのように日付以外は一致するようなもの）が見つかった場合には、そのファイル名に対応する印刷履歴テーブル６７内の更新履歴（作成日時／更新日時）と、今回のジョブに含まれている更新履歴（作成日時／更新日時）とを比較して更新判断を行う。たとえば、作成日時は同一で、更新日時は印刷履歴テーブル６７内のものよりも今回のジョブに含まれているものの方が新しいなどの場合には、今回のジョブの画像データはその完全一致または一部のみ一致したファイル名に対応する画像データの更新版であると判断する。
【０１０８】
〔印刷ジョブの更新判断２〕
印刷ジョブにおける２例目の更新判断では、画像更新判断部４６は、１例目と同様にジョブを指示したユーザの過去のジョブにファイル名の一致するものがあるかを検索する。一部のみ一致するものが見つかった場合には、そのファイル名に対応するジョブＩＤと画像判別要求信号とを画像処理部３０の画像判別部５１に送信する。画像判別部５１は、これを受けて画像の類似判別を開始し、受信したジョブＩＤに対応するハードディスク装置２６内の画像データの先頭ページと、今回のジョブの画像データと先頭ページとを比較する。
【０１０９】
双方の内容が一致した場合には、画像更新判断部４６に画像類似信号を送信し、双方の内容が一致しない場合には、画像更新判断部４６に画像非類似信号を送信する。画像判別部５１は、受信した信号がいずれであるかにより、今回のジョブの画像データが上記の一部のみ一致するファイル名に対応する画像データの更新版であるか否かを判断する。
【０１１０】
〔印刷ジョブの更新判断３〕
印刷ジョブにおける３例目の更新判断は、２例目の更新判断における画像の類似判別を画像データの先頭ページではなくドット数で行うものである。その相違点のみを説明すると、画像判別部５１は、画像更新判断部４６から受信したユーザＩＤに対応するハードディスク装置２６内の画像データのドット数と、今回のジョブの画像データのドット数とを比較する。ドット数比が所定の閾値（たとえば９５％）以上である場合には、画像更新判断部４６に画像類似信号を送信し、ドット数比が所定の閾値未満である場合には、画像更新判断部４６に画像非類似信号を送信する。
【０１１１】
この画像の類似判別に用いるドット数は、先頭ページのドット数でもよいし、全ページの総ドット数でもよいし、総ドット数をページ数で除算した１ページ当たりの平均ドット数などでもよい。
【０１１２】
〔印刷ジョブの更新判断４〕
印刷ジョブにおける４例目の更新判断は、１〜３例目の更新判断において、ジョブを指示したユーザの過去のジョブにファイル名の一致するものが見つからなかった場合などに行うものである。この場合には、画像更新判断部４６は、印刷ジョブの送信元の端末１０に、ジョブに含まれている画像データが更新版であるか否かの情報提供を依頼する。端末１０は、これを受けて表示部１６にドキュメント更新確認画面を表示し、ユーザの入力した情報を画像形成装置２０に送信する。たとえば、更新版ではないことを示す更新否定情報、または、更新版であることを示す更新肯定情報およびユーザ入力による更新元のファイル名情報などを送信する。
【０１１３】
画像判別部５１は、更新否定情報を受信した場合には、今回のジョブの画像データは更新版ではないと判断する。更新肯定情報を受信した場合には、今回のジョブの画像データは更新版であると判断し、ジョブを指示したユーザのユーザＩＤに対応する印刷履歴テーブル６７内のファイル名の中から、受信した更新元のファイル名情報が示すファイル名と一致するものを特定する。
【０１１４】
このようなファイル名の一致しないドキュメントの更新版は、たとえば、部署情報ドキュメント（組織図、連絡先一覧など）などのファイル名に部署名を使用していた場合に、部署名が変更となってファイル名を旧部署名から新部署名に変更したような場合（旧部署名「情報技術部」→新部署名「ＩＴソリューショングループ」）や、製品仕様ドキュメントなどのファイル名に製品の試作型番（プロトタイプ名）を使用していた場合に、製品の正式名称が決定してファイル名を試作型番から製品名に変更したような場合（試作型番「ＰＴ−Ｘ２５」→製品名「ＫＭｂｈＣ１０００」）などが該当する。
【０１１５】
上述した印刷ジョブにおける４種類の更新判断は、各々を単独で行うようにしてもよく、いずれか２つ以上を組み合わせて行うようにしてもよい。
【０１１６】
画像判別部５１は、今回の印刷ジョブの画像データが更新版であると判断した場合には、コピージョブの場合と同様に、画像更新信号を紙処分種識別部４７に入力する。さらに、更新元の画像データに対応付けて印刷履歴テーブル６７内に記憶されている印刷枚数を取得し、ＣＯ２排出量算出部４８に入力する。
【０１１７】
〔再印刷による印刷物の処分に伴うＣＯ２排出量演算〕
紙処分種識別部４７は、画像更新信号の入力を受けて、印刷物（記録紙）の処分種類の識別を開始し、環境ＩＳＯ選択画面１５０（図１０参照）による選択操作で不揮発メモリ２５に記憶された紙処分種情報によって示される種類の処分に対応する紙処分係数（δまたはε）を紙処分係数テーブル６５（図９参照）から取得し、ＣＯ２排出量算出部４８に入力する。
【０１１８】
ＣＯ２排出量算出部４８は、紙処分係数と、画像更新判断部４６から入力された印刷枚数（Ｎ）とを乗算して算出した印刷物の処分に伴うＣＯ２排出量（廃棄処分に伴うＣＯ２排出量はＢ＝δ×Ｎ、焼却処分に伴うＣＯ２排出量はＣ＝ε×Ｎ）を合計ＣＯ２排出量積算部４９と操作表示部２７とに入力する。合計ＣＯ２排出量積算部４９は、この紙処分ＣＯ２排出量を今回のジョブの更新元となるジョブのジョブＩＤに対応付けてＣＯ２排出量管理テーブル６６に記憶する。以上が更新判断および演算動作の詳細である。
【０１１９】
そして、ＣＰＵ２１は、更新元のジョブデータ（履歴情報および画像データ）をハードディスク装置２６から削除し（図１２のステップＳ１０７）、操作表示部２７を制御して上記の紙処分ＣＯ２排出量などを表示し（ステップＳ１０８／図１５および図１６参照）、本動作を終了する（Ｅｎｄ）。
【０１２０】
また、印刷ジョブの場合には、画像形成装置２０は上述した演算結果などの各種情報をジョブ送信元の端末１０に送信する。端末１０内のドライバプログラム６０は、画像形成装置２０から受信した各種情報を表示部１６に表示する。
【０１２１】
〔ＣＯ２排出量の演算例〕
以下に、（１）式によるＣＯ２排出量の演算例を示す。
【０１２２】
・電力消費ＣＯ２排出量
印刷速度（ＣＰＭ）が５０枚／分の場合には、図５に示した消費電力測定値例より、印刷１枚当たりの電力消費量（Ｐ）は０．０４１[Wh/枚]となる。図６の電力パラメータテーブル６２による電力係数（α）において、電力供給源の比率が石油火力＝３０％、太陽光＝１０％、原子力＝６０％である場合には、印刷１枚当たりの電力消費量によるＣＯ２排出量は、
α×Ｐ＝（９７５×０．３＋５３×０．１＋２２×０．６）[g‐CO2/kWh]×０．０４１[Wh/枚]×１０−３＝０．００９９[g‐CO2/枚]
となる。
【０１２３】
・紙消費ＣＯ２排出量
印刷に使用した記録紙がＡ４サイズの再生上質紙である場合には、図７の紙種係数テーブル６３による紙種係数（β）＝４．６４[g‐CO2/枚]より、印刷１枚当たりの紙消費量によるＣＯ２排出量は、
β×１＝４．６４[g‐CO2/枚]×１＝４．６４[g‐CO2/枚]
となる。
【０１２４】
・トナー消費ＣＯ２排出量
トナー種係数（γ）[kg‐CO2/kg]が同一であるＹ、Ｍ、Ｃ、Ｋの４色のトナーを使用するカラー機において、印刷１枚当たり（先頭ページ）のドット数が各色共に１００[dot/枚]であり、１００[dot]当たりのトナー消費量が０．００１[kg/100dot]であり、トナーの種類が重合トナーの場合には、図８のトナー種係数テーブル６４による紙種係数（γ）＝１．７[kg‐CO2/ｋｇ]より、印刷１枚当たりのトナー消費量によるＣＯ２排出量は、
γ×Ｔ＝１．７[kg‐CO2/kg]×（１００[dot/枚]×０．００１[kg/100dot]×４）＝６．８[g‐CO2/枚]
となる。
【０１２５】
・装置使用ＣＯ２排出量
したがって、上記の３つのＣＯ２排出量を積算した印刷１枚当たりの装置使用に伴うＣＯ２排出量は、
Ａ＝０．００９９＋４．６４＋６．８＝１１．４５[g‐CO2/枚]
となる。
【０１２６】
また、このジョブの印刷枚数が１０枚である場合には、このジョブの印刷動作における装置使用に伴うＣＯ２排出量は、１１４．５[g‐CO2]となる。
【０１２７】
このジョブの画像（原稿／ドキュメント）が更新されて印刷され（再印刷）、更新元の画像の印刷を過去に実行したジョブの印刷枚数も１０枚である場合には、その過去のジョブの印刷を実行したときの装置使用に伴うＣＯ２排出量も同じく１１４．５[g‐CO2]となる。また、その更新元の印刷物が処分される場合のＣＯ２排出量は、以下のようになる。
【０１２８】
・廃棄処分ＣＯ２排出量
図９の紙処分係数テーブル６５による廃棄処分係数（δ）＝０．０１４[g‐CO2/枚]、印刷枚数（＝処分枚数）＝１０[枚]より、廃棄処分に伴うＣＯ２排出量は、
Ｂ＝０．０１４[g‐CO2/枚]×１０[枚]＝０．１４[g‐CO2]
となる。
【０１２９】
・焼却処分ＣＯ２排出量
図９の紙処分係数テーブル６５による焼却処分係数（ε）＝０．１６[g‐CO2/枚]、印刷枚数（＝処分枚数）＝１０[枚]より、焼却処分に伴うＣＯ２排出量は、
Ｃ＝０．１６[g‐CO2/枚]×１０[枚]＝１．６[g‐CO2]
となる。
【０１３０】
・合計ＣＯ２排出量
したがって、今回の再印刷のジョブに対応する過去のジョブの装置使用とその印刷物の処分に伴う合計のＣＯ２排出量は、
廃棄処分の場合には、
Ａ＋Ｂ＝１１４．５＋０．１４＝１１４．６４[g‐CO2]
焼却処分の場合には、
Ａ＋Ｃ＝１１４．５＋１．６＝１１６．１[g‐CO2]
となる。
【０１３１】
以上がＣＯ２排出量の演算例である。
【０１３２】
図１３は、画像形成装置２０の操作表示部２７や端末１０の表示部１６に表示されるＣＯ２排出量モード選択画面１７０を示している。本画面には、ＣＯ２排出量の画面表示モードの選択操作を受け付ける複数の選択ボタン（画面が３種類の場合は、３つの選択ボタン１７１、１７２、１７３など）と、選択の確定操作を受け付けるＯＫボタン１７４とが表示される。ユーザは、本画面を通してＣＯ２排出量の画面表示モードの選択を行う。
【０１３３】
図１４は、画像形成装置２０の操作表示部２７や端末１０の表示部１６に表示される印刷ＣＯ２排出量表示画面１８０を示している。本画面には、ユーザが指示したジョブの印刷１枚当たりの電力消費ＣＯ２排出量、紙消費ＣＯ２排出量、トナー消費ＣＯ２排出量、およびそれらを積算した印刷１枚当たりの装置使用ＣＯ２排出量と、印刷枚数と、当該ジョブの印刷動作による装置使用ＣＯ２排出量（印刷枚数分の総排出量）と、累積推移グラフ画面の表示操作を受け付ける選択ボタン１８１と、本画面の表示終了操作を受け付けるＯＫボタン１８２などが表示される。ユーザは、本画面により、自分の指示したジョブの装置使用（印刷動作）に伴うＣＯ２排出量を把握することができる。
【０１３４】
図１５は、廃棄処分の場合に画像形成装置２０の操作表示部２７や端末１０の表示部１６に表示される再印刷ＣＯ２排出量表示画面１９０ａを示している。本画面には、ユーザが指示したジョブ（再印刷のジョブ）の印刷動作による装置使用ＣＯ２排出量（図１４の「総排出量」に相当）と、このジョブの更新元となる過去のジョブの印刷動作による装置使用ＣＯ２排出量、その更新元の印刷物の廃棄処分に伴うＣＯ２排出量、それらを合計した合計ＣＯ２排出量と、再印刷枚数（図１４の「印刷枚数」に相当）と、更新元の印刷物の処分枚数と、ＣＯ２排出量累積推移グラフ画面の表示操作を受け付ける選択ボタン１９１と、本画面の表示終了操作を受け付けるＯＫボタン１９２などが表示される。ユーザは、本画面により、再印刷を行ったことで不要になった更新元の印刷物の廃棄処分に伴うＣＯ２排出量を把握することができる。
【０１３５】
図１６は、焼却処分の場合に画像形成装置２０の操作表示部２７や端末１０の表示部１６に表示される再印刷ＣＯ２排出量表示画面１９０ｂを示している。本画面では、上記の廃棄処分の場合に表示される更新元の印刷物の廃棄処分に伴うＣＯ２排出量が焼却処分に伴うＣＯ２排出量に置き換えられて表示が行われる。ユーザは、本画面により、再印刷を行ったことで不要になった更新元の印刷物の焼却処分に伴うＣＯ２排出量を把握することができる。
【０１３６】
図１７は、画像形成装置２０の操作表示部２７や端末１０の表示部１６に表示されるユーザ個人のＣＯ２排出量累積推移グラフ画面２００を示している。本画面には、ユーザ自身が実行したジョブによる月毎のＣＯ２排出量の累積推移グラフと、本画面の表示終了操作を受け付ける戻るボタン２０１などが表示される。ユーザは、本画面により、自分が実行したジョブによる月毎のＣＯ２排出量の累積推移を把握することができる。
【０１３７】
また、図示は省略するが、図１３のＣＯ２排出量モード選択画面１７０における選択ボタン１７３（「全体ＣＯ２排出量」）の選択操作により、所属先における管理対象の全ユーザのＣＯ２排出量を積算した全体ＣＯ２排出量などを画面表示することもできる。
【０１３８】
このように、本実施形態に係る画像形成装置２０では、過去に印刷した原稿やドキュメントなどの画像（画像データ）を更新して印刷を行うときには、ユーザが通常と同じ操作で印刷を指示すると、その画像データは過去に印刷した画像データの更新版であるか否かが自動的に判断され、更新版と判断された場合には、その過去に印刷した更新元の印刷物の処分に伴うＣＯ２排出量が自動的に演算されて表示される。これにより、更新版の印刷を行うことで不要となる更新元の印刷物の処分に伴うＣＯ２排出量を簡単に把握することができるようになり、そのＣＯ２排出量も考慮したＣＯ２削減の意識向上をユーザに促すなどが可能となる。
【０１３９】
また、印刷物の処分に伴うＣＯ２排出量の演算および表示では、廃棄処分または焼却処分を選択できるため、利便性が向上する。
【０１４０】
また、画像形成装置２０は、印刷物の処分に伴うＣＯ２排出量と装置使用（印刷動作）に伴うＣＯ２排出量とを累積した累積ＣＯ２排出量を月毎などの単位で管理し、その累積ＣＯ２排出量をＣＯ２排出量表示画面（再印刷ＣＯ２排出量表示画面１９０ａ、１９０ｂやＣＯ２排出量累積推移グラフ画面２００など）に表示する。これにより、ユーザは月毎などの累積ＣＯ２排出量を把握でき、ＣＯ２排出量削減の自己管理などが行いやすくなる。
【０１４１】
また、更新版の印刷による印刷物の印刷枚数と、それに伴い処分となる更新元の印刷物の処分枚数とは、ページ数や出力モードの相違などによって一致しない場合もある。たとえば、更新に伴いページ数に増減が生じた場合や、片面印刷／両面印刷、集約印刷、印刷ページ指定、印刷部数などの条件が再印刷と過去の印刷とで異なる場合などである。出力モードを変更する具体例は、草稿版は両面印刷や２ｉｎ１印刷などで確認し、正式版は片面印刷や１ｉｎ１印刷などで保存するような場合や、更新したページのみを指定して印刷し差し替えるような場合や、草稿版は確認用に部数１で印刷し、正式版は配布用に複数部数で印刷したりするような場合などである。
【０１４２】
本実施形態の画像形成装置２０は、ジョブ毎に印刷枚数を記憶管理しているので、このような更新版の印刷物の印刷枚数と更新元の印刷物の処分枚数の不一致にも対応することができる。すなわち、更新版の印刷を行うことで不要となる更新元の印刷物の処分に伴うＣＯ２排出量は、その更新元の印刷物を印刷したときの印刷枚数を用いて演算するため正確な値を算出することができる。
【０１４３】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４４】
たとえば、更新判断情報と対応付けて記憶する印刷物の枚数情報は、実施の形態で説明した印刷枚数を直接的に示す情報に限らず、印刷枚数を算出できる情報（印刷枚数を間接的に示す情報）で構成するようにしてもよい。
【０１４５】
このような情報は、コピージョブの場合には、原稿の枚数を示す原稿枚数情報と、出力モードを示す出力モード情報などによって構成することができる。出力モードの詳細は、実施の形態で説明した片面読み取り片面印刷／片面読み取り両面印刷／両面読み取り片面印刷／両面読み取り両面印刷、集約印刷、印刷部数などである。印刷ジョブの場合には、ドキュメントなどのページ数を示すページ数情報と、出力モードを示す出力モード情報などによって構成することができる。出力モードの詳細は、実施の形態で説明した片面印刷／両面印刷、集約印刷、印刷ページ指定、印刷部数などである。
【０１４６】
上述した実施の形態では、これらの情報を更新判断情報と対応付けてジョブ毎に記憶管理しているので、印刷枚数を直接的に示す印刷情報を記憶管理しなくとも、これらの情報に基づいてジョブ毎の印刷物の印刷枚数（処分枚数）を算出することができる。
【０１４７】
画像処理部３０の画像判別部５１による画像の類似判別では、画像データのドット数やデータ内容（先頭ページ）に基づいて判別を行う例を説明したが、この他に、画像データのサイズなどに基づいて判別を行うようにしてもよい。印刷ジョブの場合は、印刷データのサイズがジョブに付加されているため、ＣＰＵ１１の画像更新判断部４６などがその情報に基づいて直接更新判断を行うようにしてもよい。
【０１４８】
また、画像データの先頭ページのドット数やデータ内容を比較する構成においては、画像形成装置２０内に全データを保存せず、最低限必要なその先頭ページのデータのみを保存するようにしてもよい。
【０１４９】
再印刷によるＣＯ２排出量の演算および表示（再印刷ＣＯ２排出量表示画面１９０ａ、１９０ｂ）では、廃棄処分と焼却処分のうち選択・設定したいずれか一方のＣＯ２排出量のみを演算して表示するようにしているが、両方を演算して表示するようにしてもよい。この場合は、演算結果の表示後に、予め選択・設定されている処分種のＣＯ２排出量のみを自動的に累積演算に用いたり、ユーザによって手動選択された処分種のＣＯ２排出量のみを累積演算に用いたりするなどしてもよい。
【０１５０】
装置使用に伴うＣＯ２排出量の演算方法や表示形態などは、実施の形態で説明したものに限らず、背景技術で説明した特許文献１（特開２００８−１０９３４５号公報）に記載されている演算方法や表示形態などを用いたり、上述した実施の形態とは異なる内容を加えたりするようにしてもよい。たとえば、装置使用に伴うＣＯ２排出量の演算は、特許文献１に記載されているように、画像形成装置の待機中、節電中、ウォームアップ中など使用者の不確定な状態の電力消費によるＣＯ２排出量や、定着ユニット、給紙ローラユニット、プロセスユニットなどの各種の交換ユニットの消費（交換）によるＣＯ２排出量、記録紙のジャムによるトラブルなども加味して行うようにしてもよい。
【０１５１】
また、上述した実施の形態では画像形成装置２０がＣＯ２排出量演算システムとしての機能を備えた構成で説明したが、このＣＯ２排出量演算システムは画像形成装置単体に備えた構成に限らない。図１に例示するネットワーク２に接続されたサーバ７０などが備えるようにしてもよく、画像形成装置とサーバなどに分けて備え、ＣＯ２排出量演算システムとしての機能を画像形成装置とサーバなどが連携（分担）して行うようにしてもよい。実施の形態で説明したように、端末１０から実行を指示する印刷ジョブの場合には、端末１０の表示部１６がＣＯ２排出量の演算結果を表示する表示部としての機能を果たすようにしてもよい。
【０１５２】
また、本発明に係る画像形成装置は実施の形態で説明した複合機に限らず、複写機やプリンタ機など他の画像形成装置にも適用可能である。
【符号の説明】
【０１５３】
２…ネットワーク
５…ネットワークプリンタシステム
１０…端末（ＰＣ）
１１…ＣＰＵ
１２…バス
１３…ＲＯＭ
１４…ＲＡＭ
１５…ハードディスク装置
１６…表示部
１７…操作部
１８…ネットワーク通信部
２０…画像形成装置（ＭＦＰ）
２１…ＣＰＵ
２２…バス
２３…ＲＯＭ
２４…ＲＡＭ
２５…不揮発メモリ
２６…ハードディスク装置
２７…操作表示部
２８…ユーザ認証部
２９…スキャナ部
３０…画像処理部
３１…プリンタ部
３２…ファクシミリ通信部
３３…ネットワーク通信部
３４…消費電力測定部
４０…装置使用ＣＯ２排出量演算部
４１…電力消費ＣＯ２算出部
４２…紙消費ＣＯ２算出部
４３…トナー消費ＣＯ２算出部
４４…ＣＯ２排出量積算部
４５…紙処分ＣＯ２排出量演算部
４６…画像更新判断部
４７…紙処分種識別部
４８…ＣＯ２排出量算出部
４９…合計ＣＯ２排出量積算部
５０…ドット数算出部
５１…画像判別部
６０…ドライバプログラム
６１…ユーザデータベース
６２…電力パラメータテーブル
６３…紙種係数テーブル
６４…トナー種係数テーブル
６５…紙処分係数テーブル
６６…ＣＯ２排出量管理テーブル
６７…印刷履歴テーブル
７０…サーバ
１５０…環境ＩＳＯ選択画面
１５１…取得済みボタン
１５２…未取得ボタン
１５３…ＯＫボタン
１６０…紙種選択画面
１６１、１６２、１６３、１６４…選択ボタン
１６５…ＯＫボタン
１７０…ＣＯ２排出量モード選択画面
１７１、１７２、１７３…選択ボタン
１７４…ＯＫボタン
１８０…印刷ＣＯ２排出量表示画面
１８１…選択ボタン
１８２…ＯＫボタン
１９０ａ、１９０ｂ…再印刷ＣＯ２排出量表示画面
１９１…選択ボタン
１９２…ＯＫボタン
２００…ＣＯ２排出量累積推移グラフ画面
２０１…戻るボタン
【図１】
2010201654.tif 000003
【図２】
2010201654.tif 000004
【図３】
2010201654.tif 000005
【図４】
2010201654.tif 000006
【図５】
2010201654.tif 000007
【図６】
2010201654.tif 000008
【図７】
2010201654.tif 000009
【図８】
2010201654.tif 000010
【図９】
2010201654.tif 000011
【図１０】
2010201654.tif 000012
【図１１】
2010201654.tif 000013
【図１２】
2010201654.tif 000014
【図１３】
2010201654.tif 000015
【図１４】
2010201654.tif 000016
【図１５】
2010201654.tif 000017
【図１６】
2010201654.tif 000018
【図１７】
2010201654.tif 000019